(57)【特許請求の範囲】
【請求項１】
清掃部材を保持する保持部材を介して清掃部材を回転体に押し付ける回転体の異物清掃装置において、
前記清掃部材と前記保持部材との間に介在する中間保持部材を備え、
この中間保持部材に、前記清掃部材が回転体側に移動するのを規制する規制部を設けるとともに、前記保持部材の被係合部と係合し中間保持部材が回転体側に移動するのを規制する係合部を設け、
前記中間保持部材が、前記清掃部材を挟持するように折り曲げ形成された板ばねであり、
前記規制部は、前記清掃部材の前記板ばね材により挟持される複数の面に対応して複数設けられ、これら規制部はそれぞれ前記清掃部材に食い込み、
前記保持部材の回転体側および回転体と反対側には前記中間保持部材が挿抜される開口が設けられ、
前記被係合部は、前記係合部が係合したときに前記中間保持部材の当該中間保持部材が挿抜される方向への移動を規制する被係合孔であることを特徴とする回転体の異物清掃装置。
【請求項２】
請求項１記載の回転体の異物清掃装置において、
前記中間保持部材の規制部の先端を尖鋭状に形成したことを特徴とする回転体の異物清掃装置。
【請求項３】
請求項１記載の回転体の異物清掃装置において、
前記中間保持部材の前記係合部および前記規制部は、前記板ばねを折り曲げることにより形成されていることを特徴とする回転体の異物清掃装置。
【請求項４】
請求項１記載の回転体の異物清掃装置において、
前記中間保持部材は前記保持部材によって前記清掃部材を挟持するように押圧されることを特徴とする回転体の異物清掃装置。
【請求項５】
請求項１記載の回転体の異物清掃装置において、
前記保持部材は略筒状に形成され、
前記保持部材には、開口から前記中間保持部材を挿入する方向と反対方向に向かって斜め上方に向かう傾斜が各開口に対応して設けられ、
前記中間保持部材の前記係合部は、前記中間保持部材の挿入中に前記傾斜に沿って徐々に弾性変形しながら案内され、更なる前記中間保持部材の挿入により前記保持部材の前記被係合部に係合することを特徴とする回転体の異物清掃装置。
【発明の詳細な説明】
【０００１】
【発明の属する技術分野】
本発明は、回転体の周面に清掃部材を押し付け、この清掃部材で周面を清掃する回転体の異物清掃装置に関する。
【０００２】
【従来の技術】
例えば、印刷機における版胴、ゴム胴、圧胴、渡し胴等の胴の軸線方向の両端部には、基準面となる回転体としてのベアラが設けられており、これらベアラどうしは印刷機の運転中常に対接した状態で回転する。したがって、胴間の中心距離を適正に保ち、かつ円滑な回転を確保するために、ベアラの周面を清掃し、ベアラの周面に給油するベアラワイパが設けられている。
【０００３】
図３は実公平７−３０３６２号に開示されたベアラワイパの構造を示すものであり、版胴側に開口８１が設けられ有底角筒状に形成されたケース８内に油が浸漬されたフェルト２を開口８１側から嵌入することにより、フェルト２をケース８に保持している。ケース８の底部８２には、一対のアーム８３，８３（一方のアーム８３は図示を省略）が突設され、これらアーム８３，８３には軸孔８４がそれぞれ穿設されている。５１は図示を省略したフレーム側にブラケットを介して取り付けられた軸であって、この軸５１をアーム８３，８３の軸孔８４，８４に貫挿させることにより、ケース８は軸５１を回動中心として回動自在に支持されている。この軸５１に巻回されたねじりコイルばね５２の一端はブラケットに掛け止めされ、他端がケース８のアーム８３に掛け止めされている。したがって、ケース８はねじりコイルばね５２の弾発力によって軸５１を回動中心として図中反時計方向に回動するように付勢され、フェルト２が版胴のベアラ６に圧接され、フェルト２はベアラ６の周面を清掃するとともに、ベアラ６の周面に給油するように構成されている。
【０００４】
【発明が解決しようとする課題】
しかしながら、上述した従来のベアラワイパの構造では、単にフェルト２をケース８内に嵌入させているだけの構造であるため、フェルト２がケース８から脱落するおそれがあった。特に、長時間の印刷によって多くのインキがベアラ６の表面に堆積された場合には、インキの粘着力によってフェルト２がベアラ６の回転に追従しやすくなり、脱落するおそれがあった。また、フェルト２の脱落を防止するために、ケース８の内形よりも外形の大きいフェルト２を採用しているために、フェルト２をケース８へ嵌入する作業が煩雑であった。また、ケース８の開口が版胴側にのみ設けられているため、フェルト２を交換するときには、ケース８をねじりコイルばね５２の弾発力に抗して軸５１を回動中心として回動させ、これを把持した状態で行わなければならず、作業性が悪かった。
【０００５】
本発明は上記した従来の問題に鑑みなされたものであり、その目的とするところは、清掃部材の脱落を防止し、清掃部材の着脱を容易とした回転体の異物清掃装置を提供することにある。
【０００６】
【課題を解決するための手段】
この目的を達成するために、請求項１記載の発明は、清掃部材を保持する保持部材を介して清掃部材を回転体に押し付ける回転体の異物清掃装置において、前記清掃部材と前記保持部材との間に介在する中間保持部材を備え、この中間保持部材に、前記清掃部材が回転体側に移動するのを規制する規制部を設けるとともに、前記保持部材の被係合部と係合し中間保持部材が回転体側に移動するのを規制する係合部を設け、前記中間保持部材が、前記清掃部材を挟持するように折り曲げ形成された板ばねであり、前記規制部は、前記清掃部材の前記板ばね材により挟持される複数の面に対応して複数設けられ、これら規制部はそれぞれ前記清掃部材に食い込み、前記保持部材の回転体側および回転体と反対側には前記中間保持部材が挿抜される開口が設けられ、前記被係合部は、前記係合部が係合したときに前記中間保持部材の当該中間保持部材が挿抜される方向への移動を規制する被係合孔である。
したがって、係合部と被係合部との係合によって、保持部材に対する中間保持部材の移動が規制される。また、中間保持部材に対する清掃部材の移動が、規制部によって規制される。
【０００７】
また、請求項２記載の発明は、請求項１記載の発明において、前記中間保持部材の規制部の先端を尖鋭状に形成したものである。
また、請求項３記載の発明は、請求項１記載の発明において、前記中間保持部材の前記係合部および前記規制部は、前記板ばねを折り曲げることにより形成されている。
また、請求項４記載の発明は、請求項１記載の発明において、前記中間保持部材は前記保持部材によって前記清掃部材を挟持するように押圧される。
また、請求項５記載の発明は、請求項１記載の発明において、前記保持部材は略筒状に形成され、前記保持部材には、開口から前記中間保持部材を挿入する方向と反対方向に向かって斜め上方に向かう傾斜が各開口に対応して設けられ、前記中間保持部材の前記係合部は、前記中間保持部材の挿入中に前記傾斜に沿って徐々に弾性変形しながら案内され、更なる前記中間保持部材の挿入により前記保持部材の前記被係合部に係合する。
【０００８】
【発明の実施の形態】
以下、本発明の実施の形態を図に基づいて説明する。図１は本発明に係る回転体の清掃装置を分解して示す斜視図、図２（ａ）は同じく平面図、（ｂ）は同図（ａ）におけるII（ａ）-II（ａ） 線断面図である。
後述するように、本発明の特徴の一つとして、保持部材３に対して中間保持部材４Ａ，４Ｂを保持部材３の開口３４，３５のどちらからでも着脱できる構造を採用しているため、同図においては、便宜上、一対のフェルト２Ａ，２Ｂおよび一対の中間保持部材４Ａ，４Ｂを図示している。したがって、これら一対のフェルト２Ａ，２Ｂおよび一対の中間保持部材４Ａ，４Ｂは、同じ構造を有しており、ここではフェルト２Ａと中間保持部材４Ａのみ説明する。
これらの図において、全体を符号１で示す回転体の清掃装置としてのベアラワイパは、扁平な直方体状の清掃部材としてのフェルト２Ａ（２Ｂ）と、このフェルト２Ａを保持する保持部材３と、これら保持部材３とフェルト２Ａとの間に介在する中間保持部材４Ａ（４Ｂ）とから概ね構成されている。
【０００９】
保持部材３は、上、下板３１，３２および両側板３３，３３とによって、前後に開口３４，３５が設けられた扁平な略角筒状に形成され、下板３２には軸孔３６１が設けられた一対のアーム３６，３６が突設されている。上板３１の前端部には、切り起こし部３１１が斜め上方に切り起こされるように設けられ、上板３１の後部には矩形状の切欠き３１２が形成され、この切欠き３１２の底部には、上述した切り起こし部３１１と反対方向の斜め上方に切り起こされた切り起こし部３１３が設けられている。また、上板３１の略中央部には、細長い長方形の被係合孔３１４が形成され、下板３２の前、後端部には一対の矩形状の切欠き３２１，３２２が形成されている。この保持部材３の内形、すなわち開口３４，３５の内側の寸法は、後述する中間保持部材４Ａ（４Ｂ）の外形よりもわずかに大きく形成されている。
【００１０】
中間保持部材４Ａ（４Ｂ）は、上板４１、下板４２、背面板４３とからなり、全体が１枚の板ばね材によって断面が略コ字状を呈するように一体に折り曲げ形成されている。上板４１と下板４２の図中Ｂ−Ｃ方向の長さは、共にフェルト２Ａ（２Ｂ）のＢ−Ｃ方向の長さより短く形成され、背面板４３の高さは、フェルト２Ａ（２Ｂ）の厚みよりもわずかに大きく形成されている。上板４１の前端には、後端側に向かって延在する２条の切り込み４１１，４１１が形成され、これら切り込み４１１，４１１によって両側に一対の規制片４１２，４１２と、中央に係合片４１３が形成されている。
【００１１】
これら一対の規制片４１２，４１２の先端部は、図中下方に折り曲げられて規制部４１４，４１４が形成され、これら規制部４１４，４１４は正面視五角形に形成され、先端が尖鋭状に形成されている。係合片４１３の先端部は、図中上方に折り曲げられて係合部４１５が形成されている。下板４２の先端部は、上述した規制部４１４と対向するように図中上方に折り曲げられ、規制部４２１が形成され、この規制部４２１の先端部は鋸歯状に形成され、先端が尖鋭状に形成されている。係合片４１３は、上述した保持部材３の切り起こし部３１１，３１３に対応して形成され、切り起こし部３１１，３１３の幅は、係合片４１３の幅よりも大きく形成されている。
【００１２】
次に、このような構成のベアラワイパの組立方法を図１に基づいて説明する。なお、フェルト２Ａおよび中間部材４Ａと、フェルト２Ｂおよび中間保持部材４Ｂとが保持部材３に同時に保持されることはなく、いずれか一方が保持されるものであるから、ここでは、まずフェルト２Ａを保持部材４Ａを介して保持部材３に組み付ける方法を説明する。
【００１３】
中間保持部材４Ａの上板４１と下板４２を離間させるように弾性変形させて押し拡げ、フェルト２Ａを図中矢印Ａ方向に移動させて、中間保持部材４Ａの側方からこれら上板４１と下板４２との間に、フェルト２Ａの後端面を背面板４３の内面に添接させるようにして挿入する。この中間保持部材４Ａを図中矢印Ｃ方向に移動させ、保持部材３の開口３４から保持部材３の内側に嵌入させる。このとき、押し拡げられた上板４１と下板４２とが保持部材３の上板３１と下板３２の内面に当接し、これら上板３１と下板３２とによって、中間保持部材４の上板４１と下板４２とが互いに近接する方向に押圧される。
【００１４】
したがって、規制片４１２の規制部４１４と下板４２の規制部４２１とが、フェルト２Ａの上下面を挟持するように押圧され、これら規制部４１４，４２１がフェルト２Ａの内部に食い込む。このとき、これら規制部４１４，４２１の先端が尖鋭状に形成されているので、規制部４１４，４２１が塑性変形するようなことがなくフェルト２Ａの内部に食い込む。このように、フェルト２Ａを中間保持部材４に保持するのに、尖鋭状に形成した規制部４１４，４２１を中間保持部材４の弾性変形を利用してフェルト２Ａ内に食い込ませるようにしたことにより、特別な保持部材を必要としないので、部品点数を増やすことがなく構造が簡素化され、装置の大型化も防止できる。
【００１５】
また、中間保持部材４Ａを保持部材３の開口３４から保持部材３の内側に嵌入させるときに、中間保持部材４Ａの係合部４１５が切り起こし部３１１に当接する。このとき、切り起こし部３１１が係合部４１５の移動方向（矢印Ｃ方向）と反対方向に向かって斜め上方に切り起こされているので、係合部４１５は切り起こし部３１１の傾斜に沿って徐々に弾性変形しながら、この切り起こし部３１１によって案内される。したがって、フェルト２Ａを保持した中間保持部材４Ａは保持部材３内に円滑に嵌入され、係合部４１５が塑性変形することなく被係合孔３１４に係合する。
【００１６】
次に、保持部材３の後方側の開口３５からフェルト２Ｂを中間保持部材４Ｂを介して保持部材３内に組み付ける場合を説明する。
この場合にも、フェルト２Ｂを中間保持部材４Ｂ内に挿入し、中間保持部材４Ｂを図中矢印Ｂ方向に移動させ、保持部材３の開口３５から保持部材３の内側に嵌入させると、上述したフェルト２Ａと同様に、規制片４１２の規制部４１４と下板４２の規制部４２１とが、フェルト２Ａの内部に食い込む。このとき、中間保持部材４Ａの係合部４１５が切り起こし部３１３に当接するが、切り起こし部３１３が係合部４１５の移動方向（矢印Ｂ方向）と反対方向に向かって斜め上方に切り起こされている。したがって、係合部４１５は切り起こし部３１３の傾斜に沿って徐々に弾性変形しながら、この切り起こし部３１３によって案内されるので、フェルト２Ｂを保持した中間保持部材４Ｂは保持部材３内に円滑に嵌入され、係合部４１５が塑性変形することなく被係合孔３１４に係合する。
【００１７】
このようにフェルト２Ａ（２Ｂ）と中間保持部材４Ａ（４Ｂ）が組み付けられた保持部材３は、上述した従来技術と同様に、アーム３６の軸孔３６１にフレーム側の軸５１を貫挿させ、軸５１に巻回され図示を省略したブラケットに一端が掛け止めされたねじりコイルばね５２の他端がアーム３６に掛け止めされる。したがって、保持部材３はねじりコイルばね５２の弾発力によって軸５１を回動中心として図中反時計方向に回動するように付勢され、フェルト２Ａが版胴のベアラ６に圧接され、フェルト２Ａはベアラ６の表面を清掃するとともに、ベアラ６の表面に給油するように構成されている。
【００１８】
このとき、中間保持部材４Ａの規制部４１４，４２１がフェルト２Ａ内に食い込んでいることにより、フェルト２Ａによってベアラ６を清掃している間にベアラ６の回転に追従してフェルト２Ａが移動するようなことがない。また、中間保持部材４Ａの係合部４１５が、保持部材３の被係合孔３１４に係合していることにより、中間保持部材４Ａが保持部材３に対して移動を規制される。したがって、フェルト２Ａは保持部材３に移動を規制されて保持されるので、清掃作業中にフェルト２Ａが保持部材３から脱落するようなことがない。
【００１９】
保持部材３に取り付けられたフェルト２Ａを交換する場合には、保持部材３の後部の上下に設けた切欠き３１２，３２２から露呈した中間保持部材４Ａの上板４１、下板４２を把持し、矢印Ｃ方向に引き出す。このとき、保持部材３の被係合孔３１４に係合している中間保持部材４Ａの係合部４１５が、弾性変形しながら被係合孔３１４から外れ、フェルト２Ａと一体化された中間保持部材４Ａが、保持部材３の開口３５から取り外される。このように、フェルト２Ａを交換するのに、ベアラ６と反対側の開口３５から取り外すことができることにより、保持部材３をねじりコイルばね５２の弾発力に抗して回動させ、この状態を保持しながらベアラ６側の開口３４から交換する必要がないので、交換作業が煩雑とならず作業性が向上する。
【００２０】
なお、本実施の形態では、清掃する回転体をベアラワイパ１としたが、これに限定されず周面を清掃する必要がある回転体であればよい。また、清掃部材をフェルトとしたが、これに限定されず、例えば、掻き取りワイパ（ブレード）を用いて、回転体の周面に付いた紙等を取り去る版面ゴミ取り装置等種々の選択が可能である。
【００２１】
【発明の効果】
以上説明したように、請求項１記載の発明によれば、清掃部材の脱落が防止される。また、清掃部材の交換作業が煩雑とならないので作業性が向上する。
【００２２】
また、請求項２記載の発明によれば、清掃部材の脱落が防止するのに、特別な保持部材を必要としないので、部品点数を増やすことがなく構造が簡素化され、装置の大型化も防止できる。
【図面の簡単な説明】
【図１】  本発明に係る回転体の清掃装置を分解して示す斜視図である。
【図２】  （ａ）は本発明に係る回転体の清掃装置の平面図、（ｂ）は同図（ａ）におけるII（ａ）-II（ａ） 線断面図である。
【図３】  （ａ）は従来の回転体の清掃装置の断面図、（ｂ）は装着した状態を示す側面図である。
【符号の説明】
１…ベアラワイパ、２Ａ，２Ｂ…フェルト、３…保持部材、４Ａ，４Ｂ…中間保持部材、３４，３５…開口、３１１，３１３…切り起こし部、３１４…被係合孔、４１４，４２１…規制部、４１５…係合部。
【図１】
0004011755.tif 000002
【図２】
0004011755.tif 000003
【図３】
0004011755.tif 000004